Podtech/llm-jp-corpus-v4-ja_patent huggingface dataset:
(57)【要約】【課題】この発明は、ゴミ等の焼却物を焼却室に投入する際、外気との密閉状態を保ちながら自動投入を可能にし、炉内温度を高温に保ち、ダイオキシン等の有害物質を発生させない焼却室自動投入口を開発・提供する事にある。【解決手段】この課題を解決する為の手段として、この発明は、燃焼室投入口の密閉状態を保ちながら焼却物投入を可能にする為に、上下に連結した密閉式耐火扉と上下に開閉蓋を有するホッパーを設け、且つ、ウィンチ等の上下移動手段により上下移動可能にし、焼却物投入時、外気との密閉状態を保ちながら自動投入可能にした焼却室自動投入口である。【選択図】　　図３
2004100971.tif 000002
【特許請求の範囲】
【請求項１】
ゴミ等の廃棄物焼却炉において、燃焼室（１）の外周中央上部に焼却物投入口（１ａ）を設け、該燃焼室の焼却物投入口（１ａ）の下部には耐火煉瓦保護兼支持金具（５）を設け、且つ、該焼却物投入口（１ａ）を中心にして、左右対称に設けた自動回転式焼却物投入板密閉滑りガイド（２）と、該自動回転式焼却物投入板密閉滑りガイドに沿ってウィンチ等の上下移動手段（Ｗ）により上下移動可能な密閉式耐火扉（４）を燃焼室（１）とホッパー（３）間に上下に連結して設け、該ホッパーには、上面に開閉式焼却物受入蓋（３ａ）と下部投入口側に支持ローラ（３ｃ）付自動回転式焼却物投入板（３ｂ）を設け、焼却物（Ｂ）投入時、外気との密閉状態を保ちながら自動投入可能にした事を特徴とする焼却室自動投入口。
【発明の詳細な説明】
【０００１】
【発明の属する技術分野】
この発明は、ゴミ等を燃やす為の廃棄物焼却炉における焼却室自動投入口に関する。
【０００２】
【従来の技術】
従来から使用されている廃棄物焼却炉は、焼却物を投入する際に耐火扉を開いて作業を行う為、どうしてもその間に炉内温度が低下し、ダイオキシン等の有毒ガスが発生し、外部に漏れて公害問題にも成っている。
【０００３】
又、近年ではそうしたダイオキシン等、生活環境に悪影響を及ぼす有害物質が社会問題にも成ってきており、焼却炉の構造や取り扱いに対する安全基準の見直しが行われる中、各関連企業もその対応に追われている。
【０００４】
又、ダイオキシン等の有害物質を減少させる為の方法として、最近では焼却温度の高温化の為の、さまざまな具体的方策が各地で展開されつつある。
【発明が解決しようとする課題】
そこで、この発明は、ゴミ等の焼却物を焼却室に投入する際、外気との密閉状態を保ちながら自動投入を可能にして、炉内温度を高温に保ち、ダイオキシン等の有害物質を発生させない焼却室自動投入口を開発・提供する事にある。
【０００５】
【課題を解決するための手段】
この課題を解決する為の手段として、この発明は、燃焼室投入口の密閉状態を保ちながら焼却物の投入を可能にする為に、上下に連結した密閉式耐火扉と上下に開閉蓋を有するホッパーを設け、且つ、ウィンチ等の上下移動手段により上下移動を可能にし、焼却物投入時、外気との密閉状態を保ちながら自動投入可能にした焼却室自動投入口である。
【０００６】
【発明の実施の形態】
そこで、この発明の一実施例を図１から図４に従って詳述すると、燃焼室（１）の外周中央上部に焼却物投入口（１ａ）を設け、該燃焼室の焼却物投入口（１ａ）の下部には耐火煉瓦保護兼支持金具（５）を設け、且つ、該焼却物投入口（１ａ）を中心にして、左右対称に設けた自動回転式焼却物投入板密閉滑りガイド（２）と、該自動回転式焼却物投入板密閉滑りガイドに沿ってウィンチ等の上下移動手段（Ｗ）により上下移動可能な密閉式耐火扉（４）を燃焼室（１）とホッパー（３）間に上下に連結して設け、該ホッパーには、上面に開閉式焼却物受入蓋（３ａ）と下部投入口側に支持ローラ（３ｃ）付自動回転式焼却物投入板（３ｂ）を設け、焼却物（Ｂ）投入時、外気との密閉状態を保ちながら自動投入可能にする様構成されている。
【０００７】
そして、ウィンチ等の移動手段（Ｗ）のフック先端部（Ｗ’）と密閉式耐火扉（４）の固定部（４’）間を連結するチェーン（Ｃ）はウィンチ側が一本と密閉式耐火扉側が二本に連結されていて、定滑車（Ｓ１）と動滑車（Ｓ２）の中間部が連結金具（６）で固定されており、定滑車（Ｓ１）４個と動滑車（Ｓ２）１個とで構成されている。
【０００８】
次に、この発明の作動方法及び作業手順について説明すると、まず開閉式焼却物受入蓋（３ａ）を手で開き、焼却物（Ｂ）をホッパー内に投入後、受入蓋（３ａ）を閉める。
【０００９】
次に、上下に連結された密閉式耐火扉（４）とホッパー（３）をウィンチ等の上下移動手段（Ｗ）により所定方向に回転させて巻き上げると、密閉式耐火扉（４）の左右に固定された二本のチェーン（Ｃ）が定滑車（Ｓ１）と動滑車（Ｓ２）を介して引っ張られ上昇し、ホッパー（３）下部に取り付けた自動回転式焼却物投入板（３ｂ）の先端部が支持金具（５）の位置に到達すると焼却室投入口（１ａ）内部へ傾斜し始め、更に最上部へ到達すると、図４の状態に成り、燃焼室（１）に焼却物（Ｂ）が完全投入される。
【００１０】
又、投入後、ウィンチ等の上下移動手段（Ｗ）により逆転させる事によって、密閉式耐火扉（４）とホッパー（３）は自重により下降し始め、自動回転式焼却物投入板（３ｂ）が元の位置に戻り始め、図３の状態になる。
【００１１】
【発明の効果】
焼却物投入時、外気との密閉状態を保ちながら自動投入可能にし、炉内温度を高温に保つ事で、ダイオキシン等の有害物質の発生をくい止め、且つ、煙等が外部に漏れる等の問題が解消され、環境衛生的に見ても極めてその効果は大きい。
【００１２】
又、焼却物投入口の密閉式耐火扉を自動開閉式にする事で、労力の削減、安全性の向上、経費の削減等極めて有益な効果を奏するものである。
【図面の簡単な説明】
【図１】この発明の一実施例を示し、焼却物ホッパー投入時の（Ａ）は平面図で、（Ｂ）は（Ａ）のａ部拡大詳細図である。
【図２】この発明の一実施例を示し、焼却物ホッパー投入時の正面図である。
【図３】この発明の一実施例を示し、焼却物ホッパー投入時の側面図である。
【図４】この発明の一実施例を示し、焼却物燃焼室自動投入時の（Ａ）は側面図で、（Ｂ）は（Ａ）のａ部拡大詳細図である。
【符号の説明】
１　燃焼室
１ａ　焼却物投入口
２　自動回転式焼却物投入板密閉滑りガイド
３　ホッパー
３ａ　開閉式焼却物受入蓋
３ｂ　自動回転式焼却物投入板
３ｃ　支持ローラ
４　密閉式耐火扉
４’　密閉式耐火扉のチェーン固定部
５　耐火煉瓦保護兼支持金具
６　連結金具
Ｗ　ウィンチ等の上下移動手段
Ｗ’　ウィンチ等の上下移動手段のフック先端部
Ｃ　チェーン
Ｓ１　定滑車
Ｓ２　動滑車
Ｂ　焼却物
【図１】
2004100971.tif 000003
【図２】
2004100971.tif 000004
【図３】
2004100971.tif 000005
【図４】
2004100971.tif 000006
(57)【要約】【課題】予熱された雰囲気ガスを炉内に均一且つ安定して供給できるようにし、焼成された電子部品の品質のばらつきをなくすことを可能とする電子部品焼成用電気炉を提供する。【解決手段】炉内に雰囲気ガスを導入して電子部品を焼成する電気炉において、炉の側壁部にガスを導入するためのガス噴出部を設け、該ガス噴出部から炉内に導入されるガスを予熱するための空洞部を設ける。【選択図】　　　　図１
2004100972.tif 000002
【特許請求の範囲】
【請求項１】
炉内に雰囲気ガスを導入して電子部品を焼成する電気炉において、炉の側壁部にガスを導入するためのガス噴出部を設け、該ガス噴出部から炉内に導入されるガスを予熱するための空洞部を設けたことを特徴とする電子部品焼成用電気炉。
【請求項２】
前記ガス噴出部が複数のガス噴出孔をそなえていることを特徴とする請求項１記載の電子部品焼成用電気炉。
【発明の詳細な説明】
【０００１】
【発明の属する技術分野】
本発明は、電子部品焼成用電気炉、とくに、予熱した雰囲気ガスを炉内に均一且つ安定して供給できるようにした電子部品焼成用電気炉に関する。
【０００２】
【従来の技術】
電子部品を焼成する電気炉においては、炉内の台板上に、焼成すべき電子部品を載置したサヤ、こう鉢、セッタなどを複数段並べて搬送し、炉の側面から還元性ガス、不活性ガス、酸化性ガスのような雰囲気ガスを導入して、サヤなどの間を通過させて雰囲気を形成し、焼成を行うようになっている。
【０００３】
炉の側面から雰囲気ガスを導入する場合、炉の側面に、内部に耐熱製のセラミックチューブを装着してなる金属管を取り付け、該金属管を通してガスを導入するが、導入したガスを炉内の処理物と均一に接触させるために、炉の側壁部に多数の金属管を取り付ける必要があり、また金属管の数に相当するセラミックチューブが必要となり、炉の製作が面倒となるとともに、製作費がかさむという問題がある。
【０００４】
さらに、金属管を通じて導入されるガスは、予熱されることなく処理物と接触するために、処理物の焼成温度に影響し、焼成された電子部品の品質にばらつきが生じる原因となる。
【０００５】
【発明が解決しようとする課題】
本発明は、電子部品焼成用電気炉の雰囲気ガス導入方式における上記従来の問題点を解消するためになされたものであり、その目的は、予熱された雰囲気ガスを炉内に均一且つ安定して供給できるようにし、焼成された電子部品の品質のばらつきをなくすことを可能とする電子部品焼成用電気炉を提供することにある。
【０００６】
【課題を解決するための手段】
上記の目的を達成するための本発明の請求項１による電子部品焼成用電気炉は、炉内に雰囲気ガスを導入して電子部品を焼成する電気炉において、炉の側壁部にガスを導入するためのガス噴出部を設け、該ガス噴出部から炉内に導入されるガスを予熱するための空洞部を設けたことを特徴とする。
【０００７】
請求項２による電子部品焼成用電気炉は、請求項１において、前記ガス噴出部が複数のガス噴出孔をそなえていることを特徴とする。
【０００８】
【発明の実施の形態】
本発明においては、図１に示すように、炉の焼成部を構成する炉Ｆの側壁部４に、雰囲気ガスを導入するためのガス噴出部１を設け、ガス噴出部１の後方に、ガス噴出部１から炉内に導入されるガスを予熱するための空洞部２を設ける。
【０００９】
ガス噴出部１と空洞部２は、例えばアルミナ質、炭化珪素質の耐火煉瓦、低温炉の場合には金属などにより構成され、空洞部２にはガス導入管３が連結されている。雰囲気ガスは、ガス導入管３を通して空洞部２に入り、空洞部２で予熱されて、ガス噴出部１に形成されている複数（２〜数十個）のガス噴出孔７、７から炉内に供給される。
【００１０】
ガス噴出孔７、７は、ガス噴出部１のガス噴出面において、必要に応じて、上下方向、左右方向または上下左右の両方向に配置されており、複数のガス噴出孔７、７をそなえたガス噴出部１は、炉内全体の雰囲気を均一にするために、炉の使用態様に応じて、炉Ｆの側壁部に数カ所から数十ケ所配設される。
【００１１】
炉内には、台板５上にサヤ６が複数段積み重ねられ、サヤ６に処理物（電子部品）が載置され、台板５により搬送しているが、空洞部２で予熱され、ガス噴出部１のガス噴出孔７、７から噴出したガスは、段積されたサヤ６の間を効率良く通り抜けて排気されるので、雰囲気ガスの供給は均一且つ安定して行われ、効果的に炉内雰囲気が形成される。また、ガスは予熱されているから、処理物の焼成温度に影響することはない。
【００１２】
【発明の効果】
本発明によれば、電子部品焼成用電気炉において、従来のように、炉の側壁部に金属管およびセラミックチューブからなる多数のガス導入管を取り付ける必要がなく、炉の側壁部に当該ガス導入管に相当するガス噴出孔７、７をそなえたガス噴出部１を設ければよいから、炉の製作工数は簡便化され、製作コストの面でも有利となる。
【００１３】
前記のように、ガス噴出部１のガス噴出孔７、７から噴出したガスは、段積されたサヤ６の間を効率良く通り抜けて排気されるので、雰囲気ガスの供給は均一且つ安定して行われ、効果的に炉内雰囲気が形成される。また、ガスは予熱されているから、処理物の焼成温度に影響することはなく、焼成された電子部品の品質にばらつきが生じることはない。
【図面の簡単な説明】
【図１】本発明の電子部品焼成用電気炉の実施例を示す横断面図である。
【符号の説明】
１　ガス噴出部
２　空洞部
３　ガス導入管
４　炉の側壁部
５　台板
６　サヤ
７　ガス噴出孔
Ｆ　炉
【図１】
2004100972.tif 000003
(57)【要約】【課題】ピンで差し込んで使用することも、鉄製のものに対して磁石にて着脱自在に取り付けることもでき、使用環境に対応して使い分けができると共に、ピンを本体内に収納できるため、間違って手や足に刺してしまう危険が少なく、安全に使用できる磁石付押ピンを提供する。【解決手段】掴み部と受部より構成された本体内に出入するピンを設け、該ピンの頭部を押える押片を可動自在に設けると共に、受部に磁石を設けてなる。【選択図】　図１
2004100937.tif 000002
【特許請求の範囲】
【請求項１】
掴み部と受部より構成された本体内に出入するピンを設け、該ピンの頭部を押える押片を可動自在に設けると共に、受部に磁石を設けてなることを特徴とする磁石付押ピン。
【請求項２】
磁石の中心部に孔を設けたことを特徴とする請求項１記載の磁石付押ピン。
【請求項３】
磁石の孔の直径を、ピンの直径の２倍以上とすることを特徴とする請求項１又は２記載の磁石付押ピン。
【請求項４】
ピンの直径と磁石の孔の直径を、ほぼ同径とすることを特徴とする請求項１又は２記載の磁石付押ピン。
【発明の詳細な説明】
【０００１】
【発明の属する技術分野】
本発明は、家庭内や事務所内の壁面（石膏ボード等）あるいは冷蔵庫・ロッカー（鉄製）等に、資料等を着脱自在に取り付ける磁石付押ピンに関するものである。
【０００２】
【従来の技術】
従来の押ピンとしては、石膏ボード等の壁面に差し込んで使用するタイプのものやロッカー等の鉄製のものに対しては磁石による形態のものがある。
【０００３】
上記前者の場合、その構造上、石膏ボード等の差し込めるものに対してのみ使用できるもので、用途が限定される。
また、上記後者の場合も、鉄製のものに対してのみ使用できるもので、これもまた用途が限定されるものである。
【０００４】
【発明が解決しようとする課題】
本発明は、上記の問題点に鑑みなされたもので、その目的はピンで差し込んで使用することも、鉄製のものに対して磁石にて着脱自在に取り付けることもでき、使用環境に対応して使い分けができると共に、ピンを本体内に収納できるため、間違って手や足に刺してしまう危険が少なく、安全に使用できる磁石付押ピンを提供するものである。
【０００５】
【課題を解決するための手段】
上記課題を解決するための手段として、掴み部と受部より構成された本体内に出入するピンを設け、該ピンの頭部を押える押片を可動自在に設けると共に、受部に磁石を設けてなること。また、磁石の中心部に孔を設けたこと。さらに、磁石の孔の直径を、ピンの直径の２倍以上とすること。その上、ピンの直径と磁石の孔の直径を、ほぼ同径とすることを特徴とする。
【０００６】
【発明の実施の形態】
以下に、磁石付押ピンを図面に基づいて詳細に説明する。
磁石付押ピン１は、受部２ａと掴み部２ｂとから構成される本体２の中空部２ｃ内に出入するピン３を設け、該ピン３の頭部３ａを押える押片３ｄを、上部を支点３ｄ１として可動自在に設けると共に、受部２ａの下面に中心に孔４ａ（ピン３の直径の２倍以上）を設けた円盤状の磁石４を設けてなるものである。
なお、上記構造により、受部２ａを下方にした時、ピン３が突出し、受部２ａを上方にした時、ピン３が中空部２ｃ内に収納されるものである。
また、掴み部２ｂにピン３の抜け止め用のキャップ２ｄを一体的に固着してなる。
さらに、磁石４は受部２ａに対して、孔４ａを突起２ａ１に接合させ、接着剤等にて固設してなるものである。
【０００７】
つぎに、上記磁石付押ピン１の使用例について下記に述べる。
例えば、壁面（石膏ボード等）に使用する場合、まず、受部２ａを下方にすることによりピン３を本体２（受部２ａ）より突出させる。（磁力の影響を受けない。）
つづいて、押片３ｄを指（図示せず）で押え、ピン３の頭部３ａを押えることにより、このままの状態で壁面Ｈに、表示する資料Ｓを介して差し込むものである。
なお、差し込んだ後は、指（図示せず）を離すことにより、資料Ｓを支持固定できるものである。
また、磁石付押ピン１を取り外す場合は、従来品と同様に本体２の掴み部２ｂを掴んで引き抜けばよい。
【０００８】
他の使用例として、ロッカー等の鉄製品の表面に、資料Ｓ１等を表示する場合は、磁石付押ピン１の掴み部２ｂを掴み、資料Ｓ１の所要位置に前方より磁石４にて取り付けられるもので、磁石付押ピン１を取り外す場合も、掴み部２ｂを掴んで後方に引き抜けばよい。
【０００９】
つぎに、他の実施例の磁石付押ピンを説明する。
磁石付押ピン２１は、磁石２４の孔２４ａの直径Ｔとピン２３の直径Ｔ１をほぼ同径（直径Ｔをやや大きくする）にしてなるもので、振ることによりピン２３が孔２４ａより適宜突出し、指（図示せず）で引っ張り出すことができる。
この状態で、磁石付押ピン２１をひっくり返してもピン２３は、磁石２４の磁力で落下せず、そのままの位置で保持される。
特に磁石付押ピン２１は、天井等にピン止めする場合、押圧２３ｄを押えることなく所要の位置に磁石付押ピン２１を持っていき、差し込む時点で押圧２３ｄを押えて差し込めばよく、作業が簡単に行えるものである。
【００１０】
上記各実施例において、本体の材質は合成樹脂製とし、ピンは鉄製とすることが望ましい。
また、磁石はフェライト系が望ましいが、必要に応じてネオジュム系等の強力なものでもよい。
【００１１】
【発明の効果】
１）、ピンで差し込んで使用することも、鉄製のものに対して磁石にて着脱自在に取り付けることができ、使用環境に対応して使用分けができる。
２）、ピンで差し込む場合は、押片を押えるのみで使用でき簡単である。
３）、磁石を使用する場合は、そのままピンを押し込んで本体内の中空部に収納して使用でき、表示物を傷めることなく、簡易である。
４）、ピンは通常出入自由であり、間違って刺すことはない。
５）、磁力によりピンを保持することができ、特に天井等に使用する場合に有効である。
【図面の簡単な説明】
【図１】本発明の第１実施例を示す磁石付押ピンの正面図。
【図２】本発明の第１実施例を示す磁石付押ピンの側面図。
【図３】本発明の第１実施例を示す磁石付押ピンの一部縦断正面図。
【図４】本発明の第１実施例を示す磁石付押ピンのピンを収納した状態の一部縦断正面図。
【図５】本発明の第１実施例を示す磁石付押ピンの壁面への使用状態の一部縦断正面図。
【図６】本発明の第１実施例を示す磁石付押ピンのロッカー等への使用状態の一部縦断正面図。
【図７】本発明の第２実施例を示す磁石付押ピンの一部縦断正面図。
【符号の説明】
１−−−磁石付押ピン
２−−−本体
３−−−ピン
４−−−磁石
【図１】
2004100937.tif 000003
【図２】
2004100937.tif 000004
【図３】
2004100937.tif 000005
【図４】
2004100937.tif 000006
【図５】
2004100937.tif 000007
【図６】
2004100937.tif 000008
【図７】
2004100937.tif 000009
(57)【要約】【課題】蛇口コック部分（図４）・バケツ・水槽・等の各種容器及び支柱などへ取付けが簡単で、ホースを自由な位置（長さ）に調節でき、角度を任意の位置に調節使用できるようにした器具に関して。【解決手段】Ｕ字形止め口▲１▼と連結している連結回転軸に球体図（図２−Ｂ）を設け、連結部分の外ケース内側を同じく球形室（図２−Ａ）を設け合体させ、球形どうしなので動きはスムーズで又、自由に連結軸が回転（図３）できる、連結固定ケース▲６▼と専用の固定はさみ口▲２▼と合わせ蛇口コック部分（図４）・バケツ・水槽等のふちへはさみこむ。【選択図】　図３
2004100936.tif 000002
【特許請求の範囲】
【請求項１】
Ｕ字形止め口▲１▼と固定ケース▲６▼の連結部分を２方向へ傾ける事ができ、自由に角度調節が行えるようにした構造（図３）で更に、簡便にホースを固定・移動取付けできるようにした、角度調節式ホース止め器具。
【発明の詳細な説明】
【発明の属する技術分野】
ホースを簡便に固定でき、取付角度を任意に変えられハサミ口を設けることで、幅広く取り付けできるように考案。
【従来の技術】
蛇口にホースを取り付けてしまうと取り外しがめんどうな為に、蛇口にホースをひっかける・バケツ容器の取手にはさめるなどしての対応が一般的と思います、しかし落ち着かせるのが難しい、特に水圧の変化などで安定しなくずれ落ち結局ホースを外して用を足す。
又、水槽などへ水を張り込むとき外れないように、ホースの上に重石をのせる、仕え棒などで押さえ事を足していたが、多い確率でホースが外れ水浸しになってしまった言う経験を身近に感じていた。
【発明解決しようとする課題】
ホースを付けた状態で時によっては不便な所があり、付けていても不便な所を解消し素早く多機能に使える物が欲しいとの思いから、自由な角度調節ができ簡単に移動取付け機能を兼ね備えた器具を考案した。
【課題を解決するための手段】
図面で説明すれば、Ｕ字形止め口▲１▼と固定ケースの連結部分▲３▼▲６▼を自由に動けるように、止め口と固定している連結回転軸▲３▼の可倒先端を球形▲５▼にし固定ケース受側部分▲４▼も同じく球形構造にし合体させ、上下及び回転をスムーズにし連結固定ケースにハサミ口▲２▼を取付け、蛇口（図４）等にはさませて使用する。
【発明の実施の形態】
蛇口▲９▼へホースを取付▲１０▼使用、普通に水を出しても止め口▲１▼ではさまれているので外れなく、出口の角度を決めたい所に合わせホースを外さなくて使用できる。
図４、ノズルが回転できるタイプの蛇口のように、遠隔でも同じ様に変えて使え、はさむことができる、図示されてはいないが、支柱に使いたい角度・高さに合わせて使えば同じ効果が期待できる。
【発明の効果】
以下のように改善された
１、好きな角度に調節可能
２、簡単に取付けられる
３、止めたい位置に調節可能
４、両手が使える
５、ずれ落ちする気遣いが無くなる
【図面の簡単な説明】
【図１】斜視図
【図２】可倒部単体図
（Ａ）固定カバー側面図
（Ｂ）回転軸側面図
【図３】考案の透視図
（Ａ）側面図
（Ｂ）平面図
【図４】使用実例
【符号の説明】
（１）Ｕ字形止め口
（２）固定ハサミ口
（３）連結回転軸
（４）球形凹
（５）球形凸
（６）連結固定ケース
（７）可倒方向矢印
（８）回転方向矢印
（９）蛇口
（１０）ビニールホース
【図１】
2004100936.tif 000003
【図２】
2004100936.tif 000004
【図３】
2004100936.tif 000005
【図４】
2004100936.tif 000006
(57)【要約】　　　（修正有）【課題】スカート状に広がる拡張部の大きさを大きくすることが可能な金属性アンカーを提供する。【解決手段】金属性アンカーにおいて、本体拡張部７と拡張素子２と捨拡張部８の３者または２者が連繋をして、本体拡張部７の開口角度を大きくするとともに、前記本体拡張部７と前記捨拡張部８の適度な角度を保つために、前記拡張素子２にガイドを設ける。また、前記本体拡張部７を下側、前記捨拡張部８を上側にして、ネジを締める力で拡張部を広げていくよう構成する。【選択図】図１
2004100196.tif 000002
【特許請求の範囲】
【請求項１】
本体拡張部と拡張素子と捨拡張部の３者または２者が連繋をして、本体拡張部の拡開角度を大きくする特徴を持った金属性アンカー。
【請求項２】
本体拡張部と捨拡張部の適度な角度を保つために、拡張素子に角度をもったガイドを有する特徴を持った拡張素子。
【請求項３】
打撃に弱い構造物に定着させるため、本体拡張部を下側、捨て拡張部を上側にして、ネジを締める力で拡張部を広げていくという特徴を持った金属性アンカー。
【請求項４】
請求項１の発明と請求項３の発明に樹脂製アンカーの特性を持たせた複合系アンカーである。
【発明の詳細な説明】
【０００１】
【発明の属する技術分野】
この発明は、後施工金属性アンカーに関する。
【０００２】
【従来の技術】
従来の後施工アンカーは、コンクリートなどにドリルで必要な深さの穴を穿孔してアンカー本体を定着させるもので、アンカーを定着させる方法により、金属性アンカー（拡底アンカー）と接着系アンカー（樹脂アンカー）に大別される。
【０００３】
金属系アンカーは１例として、図４に示すようにアンカー本体（１）等にスリットを有し、スカート状に広がる拡張部（７）を設け、アンカー本体（１）をコンクリート等の構造物に穿孔したアンカー穴に挿入後、拡張部（７）をアンカー孔（５）内で拡張して、この拡張力で鉄筋をアンカー孔（５）内に定着させるものである。
【０００４】
【発明が解決しようとする課題】
しかしながら、従来の技術によれば、拡張素子に大きさにドリル穴より大きく出来ないという制約があるので、スカート状に広がる拡張部の角度をあまり大きく取れないために、強い引張力が掛ると、拡張素子と本体拡張部が元の形に戻り、引き抜かれる恐れがあった。
【０００５】
そこでこの発明は、スカート状に広がる拡張部の大きさを大きくすることを課題とする。
【０００６】
【課題を解決するための手段】
以上の課題を解決するために、請求項１の発明は、本体拡張部と拡張素子と捨拡張部の３者または２者が連繋をして、本体拡張部の開口角度を大きくする特徴を持つ金属性アンカーである。
【０００７】
また、請求項２の発明は、本体拡張部と捨拡張部の適度な角度を保つために、拡張素子にガイドを有する特徴を持った拡張素子。
【０００８】
また、請求項３の発明は、打撃に弱い構造物に定着させるため、本体拡張部を下側、捨て拡張部を上側にして、ネジを締める力で拡張部を広げていくという特徴を持った金属性アンカー。
【０００９】
また、請求項４の発明は請求項１の発明と請求項３の発明に樹脂製アンカーの特性を持った複合系アンカーである。
【００１０】
【発明の実施の形態】
本発明の実施の形態の例を図面に基づいて説明する。図１（１）はアンカー本体で、底面に十字型のＶ字型のスリットがあります。図１（２）は拡張素子で、図１（１）側と図１（３）側に４５度角度の違うＶ字型のガイド用の溝を有します。
【００１１】
図１（３）は捨金物で、図１（１）をハンマーで打撃する事によりスカート状に拡張し、図１（１）本体のスリットとかみ合い、より大きな拡張角度を得る。
【００１２】
また、嫌打撃用アンカーとして、図２に示すように本体（１）を下側にし、本体アンカー（１）、拡張素子（２）、捨アンカー（３）共に３重構造にします。内部ボルト（１７）を回すことにより、本体拡張部と捨拡張部がかみ合いながら広がります。
【００１３】
また、図３（１８）は樹脂入カプセルで、このカプセルを下部、又は、本体拡張部（７）や捨拡張部（８）と拡張素子（２）の間にセットします。もちろん分割して使用してもよいです。
【００１４】
【発明の効果】
以上説明したように、この発明によればスカート状に広がる拡張部の角度は大きくなる。
【図面の簡単な説明】
【図１】打ち込み式アンカー正面図
【図２】ネジ式アンカー正面図
【図３】複合型のアンカー正面図
【図４】従来のアンカー正面図
【符号の説明】
１本体アンカー
２拡張素子
３捨アンカー
４構造物
５アンカー孔
６ガイド溝
７本体拡張部
８捨拡張部
９内側ボルト
１０捨アンカー用ボルト
１１右ネジ
１２左ネジ
１３ネジ保護用めっき
１４六角頭
１５ナット
１６座金
１７内部ボルト
１８複合型用樹脂カプセル
【図１】
2004100196.tif 000003
【図２】
2004100196.tif 000004
【図３】
2004100196.tif 000005
【図４】
2004100196.tif 000006
(57)【要約】【目的】結んだり、まげたりすることもなく、完成されたネクタイである。【構成】ヒモ（２）を（３）の穴にとおすことによって、完成されたネクタイである。【選択図】図１
2004100123.tif 000002
【特許請求の範囲】
【請求項１】
折ったりまげたりすることなく、図１のようにネクタイとして完成されたものである。
【発明の詳細な説明】
【０００１】
【産業上の利用分野】
本発明は図１のように折ったり、まげたりすることなく、ネクタイとして結ばれ完成されたものである。
【０００２】
【従来の技術】
従来は、ネクタイを折ったりまげたりしてネクタイとして結びあげていた。その為、普段ネクタイをしていない人にとっては、うまく結ぶことが出来ず面倒なことであった。
【０００３】
【発明が解決しようとする課題】
イ．ネクタイとして結びつけるのが面倒であった。。
ロ．ネクタイとして完成させるのに時間がかかった。
【０００４】
【課題を解決するための手段】
図１のように、結ぶこともなく、まげることもしないで完成されたものである。
【０００５】
【作用】
本発明は、図１のように、完成されたものであるから結んだり、まげたりする必要はない。しかし、首にとめなくてはネクタイとしての機能は、はたせないので本考案のネクタイ（１）の部分よりつながれたヒモ（２）を（３）のようにネクタイの一部に穴をあけ、そこを、通すことによって首からおちないようにして、ネクタイとして完成されるものである。
【０００６】
【実施例】
ネクタイ（１）からつながれたヒモ（２）を（３）の穴をとおしてとめる。手際よく出来て、なおかつしっくりしていた。
【０００７】
【発明の効果】
常にネクタイをしていない人が、ネクタイをすることは、時間がかかるしけっこう面倒なことである。しかし、本考案のように、ネクタイそのものがつけるだけになって、完成している場合は、ネクタイを取り付ける時間は、短縮され、又、簡単に取り付けることができて便利である。
【図面の簡単な説明】
【図１】本考案の正面図である。
【図２】本考案をわかりやすく図解したものである。
【符号の説明】
（１）本考案のネクタイとして完成されたものである。
（２）ヒモ。
（３）（２）のヒモを通す穴である。
【図１】
2004100123.tif 000003
【図２】
2004100123.tif 000004
(57)【要約】【課題】衣類のポケットを補強し、ペンなどをさしても形崩れしないようにする。この補強は、不必要な場合には解除できる。【解決手段】ポケット上端部３に着脱可能な補強具１をいれるための空洞２と、着脱可能な補強具１をその空洞２に出し入れするための口４を設けた衣類で、補強が必要な際に、着脱可能な補強具１をポケット上端部３の空洞２に挿入する。【選択図】　　図１
2004100127.tif 000002
【特許請求の範囲】
【請求項１】
ポケット上端部（３）に、着脱可能な補強具（１）を具備した衣類
【請求項２】
着脱可能な補強具（１）としてプラスチックの板を用いた請求項１記載の衣類
【請求項３】
ポケット上端部（３）に、着脱可能な補強具（１）をいれるための空洞（２）と、着脱可能な補強具（１）をその空洞（２）に出し入れするための口（４）を設けた衣類
【請求項４】
二つ折りに縫製されているポケット上端部（３）の空洞（２）に、口（４）を設けた衣類
【発明の詳細な説明】
【０００１】
【発明の属する技術分野】
本発明は、衣類のポケットにペンなどをさした際に、ポケットの形崩れを防ぐためのものである。
【０００２】
【従来の技術】
従来のポケットは、ポケット上端部を二つ折りに縫製するなどの補強がされている。
【０００３】
【発明が解決しようとする課題】
Ｙシャツなどの薄手の衣類の場合、ポケットにペンなどをさす際に、ペンなどのクリップをポケット上端部に引っ掛けると、ポケット上端部が下にたわんで、ポケットが形崩れしやすかった。かといって、ポケット上端部を補強しすぎれば、洗濯などの際に衣類を傷つける可能性があった。
【０００４】
【課題を解決するための手段】
本発明は、衣類のポケットにペンなどをさした際にも、ポケットが形崩れしにくいように、ポケット上端部に、着脱可能な補強具を具備した衣類あるいは、ポケット上端部に、着脱可能な補強具をいれるための空洞と、着脱可能な補強具をその空洞に出し入れするための口を設けた衣類である。
【０００５】
【実施例】
従来のポケットの多くは、ポケット上端部３を補強するために、ポケット上端部３が二つ折りに縫製されており、縫製されている２枚の布の間には空洞２が存在する。従来のポケットはこの空洞２に、外部から着脱可能な補強具１を挿入できるような口４はないが、第１図、第２図、第３図で示す本発明の実施例では、ポケット上端部３の空洞２に口４を設け、この口４から、空洞２に適当な大きさのプラスチック板などの着脱可能な補強具１を挿入することにより、従来以上にポケット上端部３を補強できる。また、補強が不要となれば、この口４を通して着脱可能な補強具１を外部に取り出すことができる。
【０００６】
【発明の効果】
このようにすれば、容易にポケットを補強でき、ポケットにペンなどをさした際にも、ポケットが形崩れしにくい。また、着脱可能な補強具を取り出せば、従来と同じように洗濯も可能である。また、着脱可能な補強具が変形した場合には、容易に新しいものと交換できる。
【図面の簡単な説明】
【図１】本発明の実施例を示す正面図である。
【図２】本発明の実施例のＡ−Ａ断面図である。
【図３】本発明の実施例のＢ−Ｂ断面図である。
【符号の説明】
１　着脱可能な補強具
２　空洞
３　ポケット上端部
４　口
【図１】
2004100127.tif 000003
【図２】
2004100127.tif 000004
【図３】
2004100127.tif 000005
(57)【要約】【課題】携帯して屋外で炎暑を防ぐ目的である。【解決手段】本発明は濡れた状態の薄い布を、薄い膜を介して皮膚に当て、蒸発熱の吸収によって、効率よく冷感を得る事ができる。そして蒸発によって失われた水は自動的に補給されて、冷感が継続できる。【選択図】　　　　　　図１
2004100126.tif 000002
【特許請求の範囲】
【請求項１】
枠（１）の底面に、薄い膜（２）と、その上に、水が滲み易くて薄く、強い布（３）を保持する装置。
【請求項２】
枠（１）の内側に、吸水力の大きい物質で作られた環状物体（４）をその下部が、布（３）に接触する様に保持する装置。
【発明の詳細な説明】
【０００１】
【発明の属する技術分野】
本発明は屋外に於て、炎暑を防ぐ為の装置である。
【０００２】
【従来の技術】
古来、扇子や日傘が使われている。最近は、アイデア商品が多く売られている様である。
【０００３】
【発明が解決しようとする課題】
扇子や日傘では、屋外での肉体労働中には使用できないが、本発明は肉体労働中でも使用でき、又効率的である。
【０００４】
【課題を解決する為の手段】
この装置は額、又は首に膜（２）が皮膚に密着する様に保持する。その為にゴムひも、又は帽子が必要である。布（３）から水が蒸発する為、帽子の前方に適当な穴を開け、日除けをつける。首に保持する場合は、あごひもを利用する。
【０００５】
本装置を使用する時は、布（２）と吸水体（３）に充分水を含ませ、膜（２）を皮膚に蜜着する。薄い布（３）から水が蒸発し蒸発熱を奪う、皮膚と布（３）の蒸発面が近い為に冷感が強い。もし、おしぼりの様に厚い布の場合は、皮膚から蒸発面までの距離が大きい為に熱の伝導が不良で冷感は短時間で失われる。
【０００６】
布（３）から蒸発により水が失われると保水している吸水体（４）から、水の浸透性によって、布（３）に自動的に水が補給され、蒸発が継続する。
【０００７】
本装置では、膜（２）に接した皮膚が濡れるという欠点がある。
その原因は皮膚から出た汗が蒸発できないで、冷たい膜（２）に結露する為である。
【発明の実施の形態】
現在、実験用に使用している枠（１）はプラスチックの蓋を利用したもので、直径８ｃｍ高さ２ｃｍの円筒状のものである。薄い膜（２）は食品包装用ラップフィルムである。
布（２）は夏用の薄い木綿の肌着のもの、吸水体（３）は冬用の木綿の厚地の布を二枚重ねたものである。ゴムバンドと針金で枠に付けている。重量は２０ｇ、保水量は１５ｇである。
【０００８】
額に使用している。農作業と、室内でも、クーラーが無いので使用している。風による蒸発が多く、室内では扇風機で冷感を満足している。
皮膚が濡れる為、１時間位、使用したら１０分位、装置を外して皮膚を乾かした方がよい様である。
【０００９】
吸水体の保水量は１５ｇであるが、布（３）への水の浸透をよくする為に、約５ｇ蒸発したら補水した方がよい様である。
約、２時間ごとに補水している。給水する時は装置をよく振って過量の水を除く。
【００１０】
枠（１）の形は円筒形でなく、使い易い形とし、又顔に使う為に美的要素も必要である。
布（２）は時々洗濯をする。又、水が滲みにくくなったら更新する。
【００１１】
帽子に太陽電池をつけ、小型モーターの扇風機で蒸発を促進する事も考えられる。
【００１２】
この装置を顔に固定するのではなく、シャッツのポケット等に所持して、時々顔に当てて冷感を得る方法も考えられる。
【００１３】
【発明の効果】
最近、地球温暖化の為か、夏の酷暑が記録を更新している。屋内や乗物の中はクーラーで快適であるが、屋外では炎暑に苦しむ。
本発明は誠に簡単な装置で手作りもできる。本発明でいくらか炎暑を防げると思う。
【図面の簡単な説明】
【図１】携帯用クーラーの縦断面図である。
【図２】携帯用クーラーの平面図である。
【符号の説明】
１　枠
２　薄い膜
３　薄い布
４　吸水体
【図１】
2004100126.tif 000003
【図２】
2004100126.tif 000004
(57)【要約】【課題】本発明は自毛に負担をかけず簡単に取り外せることのできるエクステンション接続方法を提供する。【解決手段】強力なボンドを使わず編みこみによってエクステンションを接続する。自毛２を適当な場所に１ｃｍ２の四角いブロックにブロッキングし、自毛２を自毛４上・４下に分け、エクステンション１を自毛４上・４下の間に通して、自毛４上・４下を左回りに３回ねじってねじり６をつくり、エクステンション１のエクステンション５左をねじり６の根元に左回りに３回巻きつけお団子８をつくり、一本にした自毛７とエクステンション５左と５右で三つ編み３をし、ゴム９で縛ってとめるという技術。【選択図】　図１
2004100128.tif 000002
【特許請求の範囲】
【請求項１】
自毛２を適当な場所に１ｃｍ２の四角いブロックにブロッキングし、自毛２を自毛４上・４下に分け、エクステンション１を自毛４上・４下の間に通して、自毛４上・４下を左回りに３回ねじってねじり６をつくり、エクステンション１のエクステンション５左をねじり６の根元に左回りに３回巻きつけお団子８をつくり、一本にした自毛７とエクステンション５左と５右で三つ編み３をし、ゴム９で縛ってとめるヘアーエクステンション接続方法。
【発明の詳細な説明】
【０００１】
【発明の属する技術分野】
本発明はエクステンションの接続方法に関する。
【０００２】
【従来の技術】
従来、エクステンション技術においては強力なボンドでエクステンションを接続している為自毛がいたみやすく取り外せないという問題があった。
【０００３】
【発明が解決しようとする課題】
本発明は自毛に負担をかけず簡単に取り外せることのできるエクステンション接続方法を提供することを目的とする。
【０００４】
【課題を解決するための手段】
前記した課題を解決するために、本発明は以下の手段とした。
【０００５】
即ち、本発明は、エクステンションを自毛と編みこんで接続しているので、ボンドを使わず、自毛に負担をかけないで簡単に取り外せるエクステンション接続ができる。
【０００６】
【発明の実施の形態】
図１は、本発明に係るヘアーエクステンション接続方法を適用してヘアーエクステンション１を自毛２に接続しようとする女性の後頭部全体図（例）である。
【０００７】
自毛２を適当な場所に１ｃｍ２の四角いブロックにブロッキングし、図２のように自毛２を自毛４上・４下に分け、図３のようにエクステンション１を自毛４上・４下の間に通して、図４のように自毛４上・４下を左回りに３回ねじって図５のようにねじり６をつくり、図６のようにエクステンション１のエクステンション５左をねじり６の根元に左回りに３回巻きつけ図７のようにお団子８をつくり、図８のように一本にした自毛７とエクステンション５左と５右で三つ編み３をし、ゴム９で縛ってとめるという技術。外すときはゴム９を切り外し三つ編み３を解けば外すことが出来る。
【０００８】
このような本発明に係る技術によれば、自毛に負担をかけずエクステンションを自毛に接続できるばかりか自毛からエクステンションを簡単に取り外すことができる。
【０００９】
【発明の効果】
以上、説明したように本発明によれば、自毛に負担をかけずエクステンションの接続が出来、簡単に取り外せることができるという優れた効果を奏し得る。
【図面の簡単な説明】
【図１】本発明の後頭部全体図（例）である。
【図２】本発明の手順１図であり自毛を自毛４上と自毛４下にわけた図である。
【図３】本発明の手順２図であり自毛４上と自毛４下にわけた自毛２の間にエクステンション１を通した図である。
【図４】本発明の手順３図であり自毛４上と自毛４下を交差して左回りにねじる所を表した図である。
【図５】本発明の手順４図であり自毛４上と自毛４下を交差して３回ねじった後、自毛７に通した図である。
【図６】本発明の手順５図でありエクステンション５右を左回りに根元に巻きつける所を表した図である。
【図７】本発明の手順６図でありエクステンション５右を団子８になるように巻きつけた図である。この後５左と５右と７で三つ編みをする。
【図８】本発明の完成図であり三つ編みで３をつくりゴム９をした図である。
【符号の説明】
１　・・・エクステンション（付け毛）
２　・・・自毛
３　・・・エクステンション１と自毛２をつなぐ三つ編み部
４上・・・２つに分けた自毛の上側
４下・・・２つに分けた自毛の下側
５左・・・自毛４上と４下の間に通したエクステンションの左側
５右・・・自毛４上と４下の間に通したエクステンションの右側
６　・・・自毛４上と４下を左回りに３回ねじった部位
７　・・・ねじり６の後自毛４上と４下を一本にまとめた部位
８　・・・エクステンション５左をねじり６の根元に右回りに３回巻きつけた部位（団子）
９　・・・ゴムひもで縛って三つ編み３をとめた部位
【図１】
2004100128.tif 000003
【図２】
2004100128.tif 000004
【図３】
2004100128.tif 000005
【図４】
2004100128.tif 000006
【図５】
2004100128.tif 000007
【図６】
2004100128.tif 000008
【図７】
2004100128.tif 000009
【図８】
2004100128.tif 000010
(57)【要約】【目的】結んだり、まげたりすることもなく、完成されたネクタイである。【構成】（２）と（３）をヒモで結んで止めてもよいし、（４）にセルロイド性のヒモを通して止めることによって、ネクタイとして完成させるものである。【選択図】図１
2004100122.tif 000002
【特許請求の範囲】
【請求項１】
折ったりまげたりすることなく、図１のようにネクタイとして完成されたものである。
【発明の詳細な説明】
【０００１】
【産業上の利用分野】
本発明は折ったりまげたりすることなくネクタイとして結ばれ完成された状態になったものである。
【０００２】
【従来の技術】
従来は、ネクタイを折ったりまげたりしてネクタイとして結びあげていた。その為、普段ネクタイをしていない人にとっては、うまく結ぶことが出来ず面倒なことであった。
【０００３】
【発明が解決しようとする課題】
イ．ネクタイとして結びつけるのが面倒であった。。
ロ．ネクタイとして完成させるのに時間がかかった。
【０００４】
【課題を解決するための手段】
図１のように、結ぶこともなく、まげることもしないで完成されたものである。
【０００５】
【作用】
本発明は、図１のように、完成されたものであるから結んだり、まげたりする必要はない。しかし、首にとめなくてはネクタイとしての機能は、はたせないので（２）と（３）の部分をヒモで結ぶことによって止める。又は、図２の（４）のようにネクタイの一部に穴をあけて、そこにヒモ、又はセルロイド性のうすい帯状のヒモを通してネクタイが首からおちないようにしてとめるようにしてもよい。
【０００６】
【実施例】
ネクタイ（２）の部分と（３）の部分をヒモで結んでみた。簡単に、手際よく出来た。（４）の穴をとおして、セルロイド性の帯状のヒモで、とめてみた。これも手際よく出来て、なおかつしっくりしていた。
【０００７】
【発明の効果】
常にネクタイをしていない人が、ネクタイをすることは、時間がかかるしけっこう面倒なことである。しかし、本考案のように、ネクタイそのものがつけるだけになって、完成している場合は、ネクタイを取り付ける時間は、短縮され、又、簡単に取り付けることができて便利である。
【図面の簡単な説明】
【図１】本考案の正面図である。
【図２】本考案の側面図である。
【符号の説明】
（１）本考案のネクタイとして完成されたものである。
（２）（３）ヒモを通すことの出来る穴である。
（４）ヒモ又は、セルロイド性のヒモを通す穴である。
【図１】
2004100122.tif 000003
【図２】
2004100122.tif 000004
(57)【要約】　　　（修正有）【課題】雨水ます用蓋の貫通している取手穴から、雨水ます内部へ蚊が進入することを防止する。【解決手段】雨水ます用蓋の取手穴の構造を改良、または詮３を取り付けることによりその貫通部分を無くする。【選択図】　　　　　図３
2004100178.tif 000002
【特許請求の範囲】
【請求項１】
蓋を取り外す為の取手穴が貫通していないことを特徴とする雨水ます用蓋。
【請求項２】
蓋の貫通した取手穴を塞ぐ取り外しが可能な事を特徴とする詮。
【発明の詳細な説明】
【０００１】
【発明の属する技術分野】
本発明は、取り外しの為の取手穴を塞いだ雨水ます用蓋に関するものである。
【０００２】
【従来の技術】
従来の雨水ます用蓋では、図１に示すように蓋１を取り外す時に手を入れる為の一対の取手穴２が空いているものが一般的である。
【０００３】
【発明が解決しようとする課題】
雨水ますには、ゴミや泥が下水へ流れ込むことを防止するため、下水への排水パイプをます上部に配置している。
【０００４】
このため、雨水ます内部は常に水がたまった状態となっている。
【０００５】
雨水ますには、内部の清掃や保守用に取り外しが可能な蓋が設置してあるが、従来の雨水ます用蓋では、図１の取手穴２から蚊が進入して残留水に卵を産み付けるため、蚊の大量発生源となっている。
【０００６】
そこで、本発明は雨水ます用蓋の取手穴から雨水ます内部に蚊が進入することを防止することを課題とする。
【０００７】
【課題を解決するための手段】
以上の課題を解決するために、請求項１記載の発明は、取手穴を袋状にして穴の貫通を無くしたことを特徴とする雨水ます用蓋である。
【０００８】
また、請求項２記載の発明は、請求項１記載の発明では取手穴部の構造が複雑になり、製造コストが高くなるため安価なコストで従来の構造の蓋の取手穴を塞ぐことを目的とした取り外し可能な詮を取り付け、取手穴の貫通を無くすることを特徴とする詮である。
【０００９】
【発明実施の形態】
図２は、取手穴の貫通を無くした雨水ます用蓋である。
【００１０】
構造を分かりやすくするために、雨水ます用蓋をＡ−Ｂ−Ｃ−Ｄで１ａと１ｂに切断した断面を示す。
【００１１】
本体１ａ、１ｂは樹脂または金属製であり、この本体１ａ、１ｂの表面には一対の袋状の取手２ａが一般的に設けられている。
【００１２】
また、図３は従来の雨水ます用蓋１の貫通した取手穴２を塞ぐための詮３である。
【００１３】
【実施例】
図２は、請求項１の取手穴２ａを袋状にして貫通部を無くした実施例である。
【００１４】
取手穴２ａは貫通穴の無い袋状の構造となっており、合わせて内部で指先が引っかけて持ちやすい構造としたものである。
【００１５】
また、図３は、請求項２の従来の取手穴２が貫通した構造の雨水ます用蓋１の取手穴２を塞ぐ取り外しが可能な詮３である。
【００１６】
雨水ます用蓋１には、一般的に一対の取手穴２が設けられており、詮３はこの取手穴２に入り込む部分３ａと、詮３が穴に落ち込むことを防止するための穴よりも大きい部分３ｂの２段構造となっている。
【発明の効果】
【００１７】
以上に説明したように、本発明によれば、雨水ます用蓋の取手穴の貫通部分を塞ぐことにより、この穴から雨水ます内部に蚊が進入することを防止する。
【００１８】
この結果、蚊は残留水に卵を産み付けることが出来なくなり、ます内部からの蚊の発生を防止することができる。
【図面の簡単な説明】
【図１】従来の取手穴が貫通している雨水ます用蓋の説明図である。
【図２】取手穴の貫通を無くした雨水ます用蓋の説明図である。
【図３】従来の貫通している取手穴を塞ぐための詮の説明図である。
【符号の説明】
１　　　　　　　従来の雨水ます用蓋本体
２　　　　　　　貫通した取手穴
１ａ、１ｂ　　　取手穴の貫通を無くした雨水ます用蓋本体
Ａ，Ｂ，Ｃ，Ｄ　切断面
２ａ　　　　　　貫通を無くした取手穴
３　　　　　　　貫通した取手穴を塞ぐ詮
３ａ　　　　　　取手穴を塞ぐ詮の貫通穴に入り込む部分
３ｂ　　　　　　取手穴を塞ぐ詮の貫通穴に落ち込む事を防止する部分
【図１】
2004100178.tif 000003
【図２】
2004100178.tif 000004
【図３】
2004100178.tif 000005
(57)【要約】【課題】着脱簡単で、肩ひもがずり落ちず、サイズ調節が１ケ所のみで出来るエプロンを提供する。【解決手段】前だれ（９）の上辺に、前だれ（９）より幅が長い腰ひも（８）を設け、腰ひもの上に二等辺三角形にした胸当て（１）を設ける。胸当て（１）の裏側にサイズ調節用ベルト（５）を設ける。サイズ調節用ベルト（５）の一部は胸当ての裏に取り付け、他端はリング（４）に通して折り返し、止め具（６）（７）で止める。リング（４）にさらに肩ひも（２）２本の端を各々取り付け、２本の肩ひも（２）の他端は前だれ（９）の両端の上部当たりの腰ひも（８）に各々取り付ける。これらを特徴とする。【選択図】　図１
2004100120.tif 000002
【特許請求の範囲】
【請求項１】
エプロンの胸当て（１）を二等辺三角形にし、胸当て上部のサイズ調節用ベルト（５）を用いて固定されているリング（４）に、２本の肩ひもの一端を各々取り付け、２本の肩ひもの後端は各々エプロンの腰ひもに接続することにより、肩ひもがずり落ちないエプロン。
【請求項２】
エプロンの胸当て（１）の裏側に止め具（６）、（７）を設けたサイズ調節用ベルト（５）の一部を取り付け、他端を２本の肩ひもが各々取り付けてあるリング（４）に一緒に通して折り返し、止め具（６）、（７）で止めることにより、１ケ所のみでサイズ調節が可能であることを特徴とする肩ひもがずり落ちないエプロン。
【発明の詳細な説明】
【０００１】
【発明の属する技術分野】
この発明は、エプロンを着用した際に、肩ひもがずり落ちず、又、着脱簡単でサイズ調節が１ケ所で出来るように工夫したエプロンに関するものである。
【０００２】
【従来の技術】
従来、着用中のエプロンの肩ひものがずり落ちないようにするには、２本の肩ひもを背中で交差させた後、２本の腰ひもで結んだり、又はボタンで止める等した。又、２本の肩ひもの間に短いひもを橋渡しする等した後、２本の腰ひもで結んだり、又はボタンで止める等していた。
【０００３】
【発明が解決しようとする課題】
これは次のような欠点があった。
イ．肩ひもがずり落ちないように、２本の肩ひもを背中で交差させた後、２本の腰ひもで結んだり、又はボタンで止めるやり方のエプロンは着脱に手間がかかかった。２本の肩ひもの間に橋渡しをしてあるエプロンは、肩ひもが輪状になっているために頭から被るとき、ヘアスタイルがくずれないように気をつけねばならなかった。
ロ．サイズ調節は主に肩ひもの両端２ケ所でしていた。
ハ．しゃがむ等した姿勢では、肩ひもがつれることもあった。
ニ．夏はエプロン１枚でも暑苦しく感じられ、着用したくない時もあった。
本発明は、以上の欠点を解決するためになされたものである。
【０００４】
【課題を解決するための手段】
前だれ（９）の上辺に前だれ（９）より長い腰ひも（８）を設ける。胸当て（１）を二等辺三角形にし、胸当て上部の裏側にサイズ調節用ベルト（５）を設ける。サイズ調節用ベルトの一部は、胸当て（１）に取り付け、他端はリング（４）に通して折り返し、止め具（６）、（７）で止める。リング（４）に、さらに肩ひも２本の端を各々取り付け、２本の肩ひもの他端は前だれ（９）の左右両端の上部に接続されている当たりの腰ひも（８）に各々取り付ける。又、ゴムひもは２本の肩ひも（２）の中程に各々取り付ける。
本発明は、以上の構成よりなる着脱簡単で肩ひもがずり落ちないエプロンである。
【０００５】
【発明の実施の形態】
以下、本発明の実施の形態について説明する。
（イ）前だれ（９）の上辺に、前だれ（９）より長い腰ひも（８）を設け、その上辺に二等辺三角形にした胸当て（１）を設ける。
（ロ）胸当て（１）の裏側に止め具（６）、（７）を設けたベルト（５）の一部を取り付け、他端はリング（４）を通して折り返し、サイズ調節をして止め具（６）、（７）で止める。
（ハ）中程にゴムひもを設けてある２本の肩ひも（２）をリング（４）に取り付け、２本の肩ひもの後端は、前だれ（１）の左右両端の上部に接続されている当たりの腰ひも（８）に各々取り付ける。
本発明は、以上の構成よりなっている。
本発明を使用する時は、エプロンの肩ひも（２）に両腕を通した後、２本の腰ひも（８）を後ろで結ぶ。必要に応じて、サイズ調節用ベルト（５）でサイズを調節する。
【０００６】
【発明の効果】
本発明のエプロンは、両肩ひもに両腕を通した後、腰ひもを結ぶだけなので、着脱が簡単で、胸当て（１）の頂点当たりから２本の肩ひも（２）が後に回り、腰ひもの結び目当たりに接続されているので、肩ひもがずり落ちることが無い。１ケ所でサイズ調節をすることが出来る。同じ構成で最も汚れやすい部分、即ち、みぞおちと腹部の当たりをしっかりカバーした上での、夏にも涼しく感じられる小型エプロンも出来る。
【図面の簡単な説明】
【図１】本発明の正面図
【図２】本発明の裏面図
【図３】本発明の要部拡大裏面図
【図４】本発明の要部拡大断面図
【図５】本発明の使用状態を示す斜視図
【図６】本発明の使用状態を示す斜視図
【符号の説明】
１　胸当て
２　肩ひも
３　ゴムひも
４　リング
５　サイズ調節用ベルト
６　止め具雄片
７　止め具雌片
８　腰ひも
９　前だれ
【図１】
2004100120.tif 000003
【図２】
2004100120.tif 000004
【図３】
2004100120.tif 000005
【図４】
2004100120.tif 000006
【図５】
2004100120.tif 000007
【図６】
2004100120.tif 000008